(57)【要約】【課題】  生ごみ処理機の制御装置において、運転待機中（待機電力抑制中）もバックアップ機能を動作させる。【解決手段】  運転の開始を選択する運転手段２と、電源を供給／遮断する開閉手段３と、商用電源１から直流電源を生成する直流電源手段４と、直流電源手段４により生成された直流電源で動作する演算手段７とを備え、運転中は開閉手段３により電源を供給し生ごみ処理を行ない、生ごみ処理が終了すると開閉手段３により電源を遮断し運転待機中の待機電力を抑制する生ごみ処理機において、商用電源１の周波数から電源の有無を判断する電源検知手段８と、演算手段７の記憶を保持するバックアップ手段９とを具備し、電源無し時にはバックアップ動作を行なう構成とした。【選択図】  図１
2005177561.tif 000002
【特許請求の範囲】
【請求項１】
運転の開始を選択する運転手段（２）と、電源を供給／遮断する開閉手段（３）と、商用電源（１）から直流電源を生成する直流電源手段（４）と、直流電源手段（４）により生成された直流電源で動作する演算手段（７）とを備え、運転中は開閉手段（３）により電源を供給し生ごみ処理を行ない、生ごみ処理が終了すると開閉手段（３）により電源を遮断し運転待機中の待機電力を抑制する生ごみ処理機において、商用電源（１）の周波数から電源の有無を判断する電源検知手段（８）と、演算手段（７）の記憶を保持するバックアップ手段（９）とを具備し、電源無し時にはバックアップ動作を行なうことを特徴とした生ごみ処理機の制御装置。
【発明の詳細な説明】
【技術分野】
【０００１】
本発明は、生ごみ処理機の運転待機中（待機電力抑制中）のバックアップ機能に関するものである。
【背景技術】
【０００２】
従来、生ごみ処理機の制御装置は、スイッチ等の操作で生ごみ処理を開始し（電源を供給し）生ごみ処理が終了すると待機電力を抑制する目的でリレー等の開閉手段により電源を自動的に遮断していた（特許文献１参照）。
【０００３】
こうした従来の構成例を図３の回路図により説明すると、２１は商用電源、２２はスイッチ等の運転手段で操作している間だけ接点が（閉）になるものである。２３はリレー等の開閉手段であり接点（閉）で電源供給、接点（開）で電源遮断となる。
【０００４】
２５は抵抗、２６はトランジスタで、マイクロコンピュータなどの演算手段２７の指令により前記開閉手段２３を操作する。
【０００５】
２４は直流電源手段であり商用電源２１から直流電源を生成し、演算手段２７等の電源とする。
【０００６】
このように構成されたものにおいて、生ごみ処理機に商用電源２１が接続され、運転手段２２が押されると直流電源手段２４を介し演算手段２７等に電源が供給される。電源が供給された演算手段２７は、開閉手段２３の接点を（閉）にして電源を供給し生ごみ処理を開始する。
【０００７】
そして生ごみ処理が終了すると演算手段２７は開閉手段の接点を（開）にし電源を遮断する。
【０００８】
従って運転待機中の待機電力を抑制することができるものである。
【０００９】
【特許文献１】特開平９−７２６６２号公報
【発明の開示】
【発明が解決しようとする課題】
【００１０】
しかるに従来方法にあっては電源の遮断と停電との区別がなく、生ごみ処理中に停電が発生すると電源が遮断されて生ごみ処理を途中で終了してしまい、停電復帰後でも運転を再開することはない。このため、再運転する時は再度運転手段を操作する必要があり、運転再開のときは生ごみ処理を最初からやり直すこととなる。
【００１１】
また、タイマー待ち中に停電が発生するとタイマー機能がクリアされ、再運転時はタイマーを設定し直す必要があり使い勝手が悪いものであった。
【課題を解決するための手段】
【００１２】
本発明は前述の課題を解決するため、運転の開始を選択する運転手段と、電源を供給／遮断する開閉手段と、商用電源から直流電源を生成する直流電源手段と、直流電源手段により生成された直流電源で動作する演算手段とを備え、運転中は開閉手段により電源を供給し生ごみ処理を行ない、生ごみ処理が終了すると開閉手段により電源を遮断し運転待機中の待機電力を抑制する生ごみ処理機において、商用電源の周波数から電源の有無を判断する電源検知手段と、演算手段の記憶を保持するバックアップ手段とを具備し、電源無し時にはバックアップ動作を行なう構成としたものである。
【発明の効果】
【００１３】
本発明によれば、従来の運転待機中の待機電力抑制の動作を継承し、更に生ごみ処理中またはタイマー待ち中に停電が発生し復電した場合でも、バックアップ手段の電荷が有れば、停電に移行する前の状態で生ごみ処理を再開したりタイマー待ちを続けるなどの運転状態で再開できるので、運転再開の操作やタイマーを再設定する必要がなくなり使い勝手が良いものとなる。
【発明を実施するための最良の形態】
【００１４】
以下本発明の一実施例を図１及び図２により説明する。
【００１５】
図１は本発明による一実施例の制御回路図であり、図２は本発明の一実施例の生ごみ処理機の内部構造図である。
【００１６】
図１及び図２において、３１は生ごみ処理機の本体ケースである。３２はこの本体ケース３１の上部に開閉自在に取り付けられた本体蓋である。３３は本体ケース３１内に取り付けられた外側固定容器である。３４は厨芥収納容器で、外側固定容器３３の内部に着脱自在に設置されている。
【００１７】
３５は該厨芥収納容器３４に設けた凸部（別部品を取り付ける例もある）で、該厨芥収納容器３４の内壁の下部に設けられている。３６は回転撹拌刃で、厨芥収納容器３４内の下部に設置されており、厨芥収納容器３４内の厨芥を撹拌するほかに、該凸部３５と連携して厨芥ごみを破砕するものである。
【００１８】
３７は被駆動回転軸で、厨芥収納容器３４の底部に設けられ、その先端が回転撹拌刃３６と連結しており、厨芥収納容器３４の取り外しの際に容器ごと取り外されるものである。
【００１９】
３８は回転駆動軸で、外側固定容器３３の底部に取り付けられており、被駆動回転軸３７と着脱自在に連結して被駆動回転軸３７に回転力を伝えるものである。
【００２０】
３９は電動モーターで、回転駆動軸３８を回転させるための回転力を発生するものである。４０は減速機構で、電動モーター３９の回転力を減速して回転駆動軸３８に伝達するものである。
【００２１】
４１は内蓋で、本体蓋３２内の下面に位置し、厨芥収納容器３４、外側固定容器３３及び該外側固定容器３３の上部開口部を覆うように設けられている。
【００２２】
４２は加熱手段Ａで、シーズヒーターやマイカにニクロム線を巻いたヒーター等で構成され、後記送風手段４３の吐き出し側で風路４６内に設置されている。
【００２３】
４３は送風手段で、ターボファンやラジアルファンと、このファンを駆動するファンモーターとで構成され、加熱手段Ａ４２で加熱された空気を厨芥収納容器３４内に送風するものである。
【００２４】
４６は加熱手段Ａ４２と送風手段４３により作られた熱風が、厨芥収納容器３４と加熱手段Ａ４２とを循環する風路である。
【００２５】
４７は触媒脱臭器で、シーズヒーターやマイカにニクロム線を巻いたヒーター等よりなる加熱手段Ｂ４８と、例えばハニカム状セラミックに白金やパラジウム等の酸化触媒物質を付着させた触媒（図示せず）とで構成されている。
【００２６】
４９は排気手段で、ターボファンやラジアルファンと、該ファンを駆動するファンモーターとで構成され、その吸い込み側は触媒脱臭器４７及び風路４６の所定の部位に開口加工された排気吸入口５０と接続され、吐き出し側は本体外部に空気を排出する排気口５１と連結されている。
【００２７】
４５は操作部で、本体蓋３２の取り扱い容易な部分に設けられており、後記する運転手段２及び通電中を知らせる表示ランプ等の表示部（図示せず）が設けられている。
【００２８】
次に本発明の制御回路について説明する。
【００２９】
図１において、１は商用電源、２はスイッチ等の運転手段で、この運転手段２が押されると生ごみ処理機は運転を開始する。３はリレー等の開閉手段であり接点（閉）で電源供給、接点（開）で電源遮断となる。
【００３０】
５は抵抗、６はトランジスタでマイクロコンピュータなどの演算手段７の指令により前記開閉手段３を操作する。
【００３１】
４は直流電源手段であり、商用電源１から直流電源を生成し、演算手段７等の電源とする。
【００３２】
８は電源の有無を検知する電源検知手段であり、前記商用電源１が接続されている時は商用電源の周波数に同期した信号が得られ、この信号が演算手段７に入力され、演算手段７はこの信号が入力されている時を「電源有り（復電）」、入力されていない時を「電源無し（停電）」と判断する。
【００３３】
９はコンデンサ等で構成したバックアップ手段であり、前記演算手段７はバックアップ手段９の電荷が有る限り停電に移行する前の状態を記憶している。なお、このバックアップ手段９は電池等で構成しても良い。
【００３４】
１０はダイオード、１１と１２は抵抗でその接続点は演算手段７に入力されている。この演算手段７は、抵抗１１と抵抗１２との接続点の電圧により運転待機中（待機電力抑制中）の運転手段２の状態を監視して運転手段２が操作されたかを監視している。
【００３５】
本発明は上記の構成からなり、次にその動作について説明する。
【００３６】
厨芥ごみを厨芥収納容器３４内に投入し、本体蓋３２を閉じ、操作部４５の運転手段２を操作すると直流電源手段４を介して演算手段７等に電源が供給され動作を開始する。演算手段７が動作を開始すると演算手段７はトランジスタ６に駆動信号を出力して開閉手段３の接点を（閉）にし電源を供給して、生ごみ処理が開始される。
【００３７】
まず、加熱手段Ａ４２及び触媒脱臭器４７の加熱手段Ｂ４８に通電され、回転撹拌刃３６の駆動用の電動モーター３９が予め定められた時間だけ正転、逆転を繰り返す。また、送風手段４３及び排気手段４９が動作する。
【００３８】
これにより、加熱手段Ａ４２と送風手段４３により熱風が作られ、送風口４４より厨芥収納容器３４内に送られ、厨芥収納容器３４内の厨芥ごみを加熱し、冷やされた（放熱した）熱風が加熱手段Ａ４２に戻され風路４６を循環する。熱風温度は温度センサー（図示せず）により加熱手段Ａ４２を通電制御して行われ、適温の熱風を厨芥収納容器３４に吹き入れる。
【００３９】
また、同時に排気手段４９により風路４６に設けた排気吸入口５０から循環熱風の一部が吸引され、触媒脱臭器４７を通して排気口５１より本体ケース３１の外部に排出される。
【００４０】
この際、厨芥ごみが加熱されることにより発生する臭いや蒸気は触媒脱臭器４７内を通過する時、加熱手段Ｂ４８で高温に加熱された触媒（酸化触媒物質により適温は異なるが約３００℃〜５００℃）により酸化反応を促進させて脱臭され、排気口５１より本体内空気と混合して外部に排出される。
【００４１】
この状態で厨芥ごみの乾燥が進行していくと、厨芥収納容器３４内の厨芥ごみの含水率が下がり、乾燥状態を検知するセンサー（温度センサーや湿度センサー等で図示せず）にて検知し、加熱手段Ａ４２への通電を止め、送風手段４３と排気手段４９のみの駆動により厨芥収納容器３４内の乾燥された厨芥ごみや本体ケース３１を適当な時間冷却した後、運転動作を終了する。
【００４２】
このとき演算手段７は開閉手段３の接点を（開）にし電源を遮断する。従って運転待機中の待機電力を抑制することができるものである。
【００４３】
次にこの回路での制御回路の動作の詳細を説明する。
【００４４】
（１）生ごみ処理機に商用電源１が接続され、運転手段２が押されると直流電源手段４を介し演算手段７等に電源が供給され動作を開始する。この時バックアップ手段９に電荷が充電される。電源が供給された演算手段７は、抵抗５を介してトランジスタ６に駆動信号を出力して開閉手段３の接点を（閉）にし、電源を供給して生ごみ処理を開始する。その後、運転手段２の操作を終えると運転手段２の接点は（開）となるが、開閉手段３の接点は（閉）状態が保持されているため電源は供給されている状態が継続し、演算手段７は動作を継続する。
【００４５】
そして演算手段７に接続された乾燥状態を検知する温度センサー（図示せず）により生ごみ処理が終了する温度を検出すると、演算手段７は開閉手段３の接点を（開）にし電源を遮断する。
【００４６】
従って運転待機中の待機電力は抑制される。
【００４７】
（２）バックアップ手段９の電荷が有る時の運転待機中（待機電力抑制中）に運転手段２が押された場合は抵抗１１と抵抗１２との接続点の電圧が変化するので演算手段７は開閉手段３の接点を（閉）にし電源を供給し生ごみ処理を開始する。
【００４８】
（３）バックアップ手段９の電荷が無い時の運転待機中（待機電力抑制中）に運転手段２が押された場合の動作は前述（１）と同様である。
【００４９】
（４）生ごみ処理中またはタイマー待ち中に停電が発生した場合、電源検知手段８からの信号が入力されなくなるので、演算手段７は停電と判断して、停電に移行する前の状態を記憶し開閉手段３の接点を（開）にする。即ち電源が遮断される。そして電源検知手段８からの信号が入力されるのを監視している（バックアップ動作１）。
【００５０】
（５）バックアップ手段９の電荷が有る時に復電した場合は、電源検知手段８からの信号が再び入力されるようになるので演算手段７も動作を再開して開閉手段３の接点を（閉）にする。即ち電源が供給され停電に移行する前の状態で運転を再開し、停電に移行する前の状態に戻る（バックアップ動作２）。
【００５１】
（６）バックアップ手段９の電荷が無い時に復電した場合は、運転手段２が押されるまで運転待機中（待機電力抑制中）の状態を継続する。このときに運転手段２が押された場合の動作は前述（１）と同様である。
【００５２】
以上の構成にすることにより生ごみ処理中またはタイマー待ち中に停電が発生し復電した場合でも、停電に移行する前の状態で生ごみ処理を再開したりタイマー待ちを続けるなどの運転状態で再開できるので、運転再開の操作やタイマーを再設定する必要がなくなり使い勝手が良い生ごみ処理機の制御装置が提供出来る。
【図面の簡単な説明】
【００５３】
【図１】本発明による生ごみ処理機の一実施例の回路図である。
【図２】本発明による生ごみ処理機の一実施例の内部構造図である。
【図３】従来の生ごみ処理機の回路図である。
【符号の説明】
【００５４】
１・・・商用電源
２・・・運転手段
３・・・開閉手段
４・・・直流電源手段
７・・・演算手段
８・・・電源検知手段
９・・・バックアップ手段
【図１】
2005177561.tif 000003
【図２】
2005177561.tif 000004
【図３】
2005177561.tif 000005